(57)【要約】【目的】  本発明は、通信販売における商品注文はがきによる会員専用商品注文方法及び通信販売における商品注文はがき及び通信販売における会員専用商品注文用私製郵便書簡に関するものである。【構成】  会員向け封筒に複数冊の商品カタログ及びその商品番号・商品名等を掲載した商品注文はがき(1)並びに会員の氏名及び会員番号を表示した複数の粘着剤付きシール(7)を台紙に貼付して同封物とし、且つ同封する商品注文はがき(1)の注文者表示欄(2)を空白にし、商品注文はがきの差出に際しては会員の氏名及び会員番号を表示した粘着剤付きシール(7)を台紙(71)から剥がして注文者表示欄(2)に貼付するように構成した会員専用商品注文はがきの構成。    【選択図】  図１
2006334864.tif 000002
【特許請求の範囲】
【請求項１】
会員向け封筒に複数冊の商品カタログ及びその商品番号・商品名等を掲載した商品注文はがき(1)並びに会員の氏名及び会員番号を表示した複数の粘着剤付きシール(7)を台紙に貼付して同封物とし、且つ同封する商品注文はがき(1)の注文者表示欄(2)を空白にし、商品注文はがきの差出に際しては会員の氏名及び会員番号等の個人情報を表示した粘着剤付きシール(7)を台紙から剥がして注文者表示欄(2)に貼付するようにしたことを特徴とする通信販売における商品注文はがきによる会員専用商品注文方法。
【請求項２】
会員向け封筒に複数冊の商品カタログ及び粘着剤付きの会員名・会員登録番号を表示したシール(7)と共に同封する商品番号・商品名・金額・数量等を掲載した商品注文はが(1)の注文者表示欄(2)を空白にしておき、注文はがき差出時には、会員名・会員登録番号等の個人情報を表示したシール(7)を注文者表示欄(2)に貼付するように構成したことを特徴とする通信販売における会員専用商品注文はがき。
【請求項３】
会員向け封筒に複数冊の商品カタログ及び粘着剤付きの会員名・会員登録番号を表示したシール(7)と共に、前記の商品カタログに綴じ込まれ若しくは独立して同封する商品番号・商品名・金額・数量等を掲載した商品注文用私製郵便書簡(8)を同封物とし、当該郵便書簡の注文者表示欄(2)を空白にしておき、商品注文時に会員名・会員登録番号等の個人情報を表したシール(7)を注文者表示欄(2)に貼付するように構成したことを特徴とする通信販売における会員専用商品注文用私製郵便書簡。
【発明の詳細な説明】
【技術分野】
【０００１】
本発明は、通信販売における商品注文はがきによる商品注文方法及び通信販売における商品注文はがき及び通信販売における商品注文用私製郵便書簡に関するものである。
【背景技術】
【０００２】
一般に各種の通信販売において、通信販売会社と顧客との間であらかじめ会員登録の契約をし、通信販売会社は会員の氏名・住所・電話番号等を会員登録番号のもとで管理し、以後定期・不定期に通信販売用商品カタログと、商品番号・商品名・金額・数量等を掲載した複数枚の商品注文はがきを同封して登録会員に対して送付することが行われる。
【０００３】
そして、その商品注文はがきには、例えば図６のように、登録会員の手間を省くために商品注文者表示欄にあらかじめ会員登録番号と会員名・会員住所を印刷表示するサービスが行われていた。これによって会員は、商品リスト欄の購入希望の商品欄に数量（「１」ないしは「２」等）を記入するだけでよいようにしてある。
また、従来公知の発明の中にも、商品注文葉書に予め会員の氏名・住所電話番号等の個人情報を印刷表示することが行われている。
【特許文献１】特開平０８−３２４１６２号公報記載の発明（図１）
【特許文献２】特開平１１−０７８３０８号公報記載の発明（図２）
【発明の開示】
【発明が解決しようとする課題】
【０００４】
一方、登録会員において、送られてきたカタログ商品について購入注文しない場合は、そのカタログが不要となり、廃棄処分の対象となる。その場合において、商品カタログと共に商品注文はがきも廃棄の対象になる。
ところが、その商品注文はがきには、会員登録番号と共に会員名・会員住所が印刷表示されている。そのため、そのまま廃棄したり、大雑把に破いたりして廃棄すると、他人に知られるところとなり、いわゆる個人情報の漏洩の問題となり、廃棄する者にとって不安感を与えることになっていた。
【課題を解決するための手段】
【０００５】
そこで本発明は従来の課題を解決するために提供するものである。
【０００６】
本発明の第１は、通信販売における商品注文はがきによる商品注文方法において、会員向け封筒に複数冊の商品カタログ及びその商品番号・商品名等を掲載した商品注文はがき並びに会員の氏名及び会員番号を表示した複数の粘着剤付きシールを台紙に貼付して同封物とし、且つ同封する商品注文はがきの注文者表示欄を空白にし、商品注文はがきの差出に際しては会員の氏名及び会員番号等の個人情報を表示した粘着剤付きシールを台紙から剥がして注文者表示欄に貼付するようにしたものである。
【０００７】
本発明の第２は、通信販売における商品注文はがきにおいて、会員向け封筒に複数冊の商品カタログ及び粘着剤付きの会員名・会員登録番号を表示したシールと共に同封する商品番号・商品名・金額・数量等を掲載した商品注文はがの注文者表示欄を空白にしておき、注文はがき差出時には、会員名・会員登録番号等の個人情報を表示したシールを注文者表示欄に貼付するようにしたものである。
【０００８】
本発明の第３は、通信販売における商品注文用私製郵便書簡において、会員向け封筒に複数冊の商品カタログ及び粘着剤付きの会員名・会員登録番号を表示したシールと共に、前記の商品カタログに綴じ込まれ若しくは独立して同封する商品番号・商品名・金額・数量等を掲載した商品注文用私製郵便書簡を同封物とし、当該郵便書簡の注文者表示欄を空白にしておき、商品注文時に会員名・会員登録番号等の個人情報を表示したシールを注文者表示欄に貼付するようにしたものである。
【発明の効果】
【０００９】
本発明は上記の構成であるから、次のような効果がある。第１に、商品注文はがきを使わずに不用となって廃棄対象になっても、会員注文者の表示欄は空白になっているからそのまま捨てても個人の情報が一切漏れることがない。
【００１０】
第２に、会員注文者は購入したい商品を注文する際には、予め商品カタログ・注文はがきと共に同封されている会員名・会員登録番号表示シールを台紙から剥がして商品注文はがきの会員注文者の表示欄に貼り付けるだけで済む。これによって、住所・氏名等を手書きするのが面倒と感じる会員や高齢者会員にとって負担軽減になる。且つ書き間違えや書き損じ等の無駄が省ける。
【００１１】
通信販売会社にあっては、会登録番号・氏名が表示されているシールが貼付されていることによって、発送資料と登録管理台帳とのマッチング作業が不要となる。
【００１２】
さらに、通信販売会社においては、登録会員個人宛に印刷表示する従来方式に比べて作業の省力化力が図れてコストの低下が期待できる。
【発明を実施するための最良の形態】
【００１３】
本発明にあって、単一の封筒内に商品種の異なる複数冊の商品カタログ及びその商品番号・商品名・金額・数量等を掲載した商品注文はがき並びに会員名及び会員番号を表示した粘着剤付きシールを同封物とし、且つ同封する商品注文はがきの枠線付き注文者表示欄を空白にし、商品注文はがきの差出に際して会員名及び会員番号を表示した粘着剤付きシールを注文者表示欄に貼付するようにしてある。
【実施例】
【００１４】
次に、本発明の実施例を図面に即して説明する。図１において、１は登録会員宛に発送する会員専用の商品注文はがきであり、その１枚の紙面（Ａ４版サイズ）をミシン線で切離可能に４連接してある。２はその商品注文はがきの上部に表示した枠線付きの商品注文者表示欄であり、その欄には例えば「お名前シール貼付け欄」の文字を表示して会員名及び会員番号を表示した粘着剤付きシールを貼り間違えないように注意を喚起するようになっている。３は商品番号３1・商品名３2・金額３3・数量３4・その他の注文欄等表示３n等の商品注文表示欄である。
【００１５】
図２において、４は商品注文はがきの通信販売会社宛の表示面、５は登録会員の「氏名又は住所」に変更があった場合のみ記入する変更記入欄、６は購入注文支払い方法をチェックマークを記入する記入欄である。
【００１６】
図３において、７は商品注文はがき１の登録会員の商品注文者表示欄２に貼付するための会員名及び会員番号の個人情報を印刷もしくは印字等で表示した粘着剤付きシールである。また、当該粘着剤付きシールは、種類が異なる商品カタログからリストアップした複数枚の商品注文はがき１の商品注文者表示欄２に不足なく貼付できるように図３の如く多数列に台紙７１に貼着してある。
【００１７】
図４において、８は商品カタログに綴じ込まれているか、又独立した紙面に表示されている私製の郵便書簡であり、その内面に前記の商品注文用の商品番号３1・商品名３2・金額３3・数量３3・その他の注文欄等表示３n等の注文表示欄３を表示してある。
【００１８】
図５において、９は私製の郵便書簡の表面において、通信販売会社への宛先印刷表示面、１０は折り畳んだときに外側の背面に相当する面に変更住所・氏名の記入欄を示す。
【００１９】
「具体的な使用例」  本発明における使用にあたっては、複数類の商品カタログと一緒に複数枚の会員専用注文はがき１及び会員登録番号・会員名等の個人情報を印刷表示したシール７と共に必要に応じて私製の郵便書簡８を封筒に同封して会員に配送する。
この封筒を受け取った会員は、商品リストから購入希望の商品があれば、会員専用注文はがき１又は私製郵便書簡８の商品注文用の商品番号３1・商品名３2・金額３3・数量３3等の注文表示欄３に記入し、且つ会員登録番号・会員名等の個人情報を印刷表示したシール７を台紙７１から剥がして枠線付きの商品注文者表示欄２に貼付すると共に、はがきにあっては、４連接から切り離して投函する。
残ったはがきは、会員登録番号・会員名等の個人情報を印刷表示したシール７を貼り付けない限りは、カタログと共に廃棄したとしても個人譲歩が漏れる恐れはない。なお、当該シール７を会員が保管するか裁断などによって廃棄処理することは当然である。
【図面の簡単な説明】
【００２０】
【図１】登録会員向けの商品注文用はがきの商品注文面である。
【図２】登録会員向けの商品注文用はがきの通信販売会社宛面である。
【図３】登録会員の商品注文者表示欄を有する台紙である。
【図４】内面に商品注文用の商品番号・商品名・金額・数量等を表示した私製郵便書簡の展開内面図である。
【図５】私製郵便書簡の展開外面図
【図６】従来の登録会員向けの商品注文用はがきの商品注文面である。
【符号の説明】
【００２１】
１……商品注文はがき
２……商品注文者表示欄
３……商品番号・商品名・金額・数量等の商品注文表示欄
４……通信販売会社への宛先印刷表示面
５……変更記入欄
６……支払い方法記入欄
７……会員名及び会員番号等の個人情報を表示した粘着剤付きシール
８……私製の郵便書簡
９……通信販売会社への宛先印刷表示面
１０……変更記入欄
【図１】
2006334864.tif 000003
【図２】
2006334864.tif 000004
【図３】
2006334864.tif 000005
【図４】
2006334864.tif 000006
【図５】
2006334864.tif 000007
【図６】
2006334864.tif 000008
【手続補正書】
【提出日】平成17年6月2日(2005.6.2)
【手続補正１】
【補正対象書類名】明細書
【補正対象項目名】００１９
【補正方法】変更
【補正の内容】
【００１９】
「具体的な使用例」  本発明の使用にあたっては、複数種類の商品カタログと一緒に複数枚の会員専用の商品注文はがき１及び会員登録番号・会員名等の個人情報を印刷表示したシール７と共に必要に応じて私製の郵便書簡８を封筒に同封して会員に配送する。
この封筒を受け取った会員は、商品リストから購入希望の商品があれば、会員専用注文はがき１又は私製郵便書簡８の商品注文用の商品番号３1・商品名３2・金額３3・数量３4等の注文表示欄３に記入し、且つ会員登録番号・会員名等の個人情報を印刷表示したシール７を台紙７１から剥がして枠線付きの商品注文者表示欄２に貼付すると共に、はがきにあっては、４連接から切り離し、私製郵便書簡８にあっては、当該書簡８に記載してある指示にしたがって裁断と山折り又は谷折りと糊付けにより組み立てて投函する。
残余のはがきは、会員登録番号・会員名等の個人情報を印刷表示したシール７を貼り付けない限りは、カタログと共に廃棄したとしても個人情報が漏れる恐れはない。なお、当該シール７を会員が保管するか裁断などによって廃棄処理することは当然である。
【手続補正２】
【補正対象書類名】図面
【補正対象項目名】図２
【補正方法】変更
【補正の内容】
【図２】
2006334864.tif 000009